(57)【要約】【課題】制御対象日の気温に関する予測情報に基づいて空調装置の運転を制御し、消費エネルギの抑制を図りながらも、居室を居住者の健康管理に適した温度環境とすることが可能な空調システムを提供する。【解決手段】制御装置３０は、電子機器である携帯端末４０から、居住者Ｕの生体情報である心拍数を受信するとともに、該心拍数に基づいて、空調装置１０の冷房運転又は暖房運転を通常モードと省エネモードとの間で移行させる。【選択図】図１
2016211810.tif 000002
【特許請求の範囲】
【請求項１】
居室（Ｒ１，Ｒ２，Ｒ３）の温度の調整を行う空調システム（１００）であって、
空気の温度を調整して前記居室に吹き出す空調装置（１０）と、
外部機器から情報を受信する受信部（３１）と、制御対象日の気温に関する予測情報を取得する予測情報取得部（３２）と、前記空調装置を通常モードで運転させる通常モード実行部（３３）と、前記通常モードと比べて消費エネルギが小さい省エネモードで前記空調装置を運転させる省エネモード実行部（３４）と、を有し、前記予測情報に基づいて前記空調装置の運転を制御する制御装置（３０）と、
居住者の生体情報を取得する取得部（４１）と、該取得部によって取得された生体情報を送信する送信部（４２）とを有する電子機器（４０）と、を備え、
前記制御装置は、前記電子機器から前記生体情報を受信するとともに、該生体情報に基づいて、前記空調装置の運転を前記通常モードと前記省エネモードとの間で移行させることを特徴とする空調システム。
【請求項２】
前記電子機器は、居住者が携帯する携帯端末（４０）であることを特徴とする請求項１に記載の空調システム。
【請求項３】
前記制御装置は、前記生体情報が予め定められた所定状態から脱したことに基づいて、前記空調装置の運転を前記省エネモードから前記通常モードに移行させることを特徴とする請求項２に記載の空調システム。
【請求項４】
前記制御装置は、前記空調装置の運転を前記省エネモードから前記通常モードに移行させた後に、前記生体情報が前記所定状態に復帰したことに基づいて、前記空調装置の運転を前記通常モードから前記省エネモードに移行させることを特徴とする請求項３に記載の空調システム。
【請求項５】
前記取得部は、前記生体情報として前記居住者の心拍数を検出することを特徴とする請求項１乃至４のいずれか１項に記載の空調システム。
【発明の詳細な説明】
【技術分野】
【０００１】
本発明は、居室の温度の調整を行う空調システムに関する。
【背景技術】
【０００２】
居室の温度の調整を行う空調システムでは、温度調整された空気を空調装置から吹き出すとともに、当該空調装置の運転を制御装置によって制御する（例えば下記特許文献１）。制御装置は、居住者に頻繁な手動操作を要求することなく、居室の温度を目標温度に一致させるように、空調装置に暖房運転や冷房運転を行わせる。これにより、居室を居住者が快適に過ごせる温度環境に維持し、居住者の健康管理を容易なものとすることができる。
【先行技術文献】
【特許文献】
【０００３】
【特許文献１】特開２００２−２５７３９９号公報
【発明の概要】
【発明が解決しようとする課題】
【０００４】
居室の温度は、その日の気温の影響を受けやすい。したがって、居室を居住者にとって更に快適な環境とする手段として、空調装置の運転をその日の気温の変化に応じて調整し、居室の温度をきめ細かく調整することが考えられる。
【０００５】
そこで、本発明者らは、気温に関する予測情報に基づいて空調装置の運転を調整する空調システムについて検討を行った。詳細には、本発明者らは、目標温度の設定を、気象庁等から発表される予測情報に基づいて行うとともに、予測された気温が比較的居住者が過ごしやすいものである場合は、通常の運転と比べて消費エネルギを抑制した運転を行う空調システムに関する検討を行った。
【０００６】
しかしながら、このように予測情報に基づいて空調装置の運転を調整する場合、その予測に誤ったものであると、空調装置の運転を実際の居室の温度環境に適したものに制御できなくなるおそれがある。また、日射量や、窓の開閉状態、外気の流入等の居室ごとの事情により、同一の気温でも、実際の温度環境は居室ごとに異なるものとなる。このような要因により、居室を快適な温度環境に維持できなくなり、居住者が健康を害してしまうおそれがあった。
【０００７】
本発明はこのような課題に鑑みてなされたものであり、その目的は、制御対象日の気温に関する予測情報に基づいて空調装置の運転を制御し、消費エネルギの抑制を図りながらも、居室を居住者の健康管理に適した温度環境とすることが可能な空調システムを提供することにある。
【課題を解決するための手段】
【０００８】
上記課題を解決するために、本発明に係る空調システムは、居室（Ｒ１，Ｒ２，Ｒ３）の温度の調整を行う空調システム（１００）であって、空気の温度を調整して前記居室に吹き出す空調装置（１０）と、外部機器から情報を受信する受信部（３１）と、制御対象日の気温に関する予測情報を取得する予測情報取得部（３２）と、前記空調装置を通常モードで運転させる通常モード実行部（３３）と、前記通常モードと比べて消費エネルギが小さい省エネモードで前記空調装置を運転させる省エネモード実行部（３４）と、を有し、前記予測情報に基づいて前記空調装置の運転を制御する制御装置（３０）と、居住者の生体情報を取得する取得部（４１）と、該取得部によって取得された生体情報を送信する送信部（４２）とを有する電子機器（４０）と、を備える。前記制御装置は、前記電子機器から前記生体情報を受信するとともに、該生体情報に基づいて、前記空調装置の運転を前記通常モードと前記省エネモードとの間で移行させる。
【０００９】
本発明では、電子機器が有する取得部によって、居住者の生体情報を取得する。そして、制御装置は、この生体情報に基づいて、空調装置の運転を通常モードと省エネモードとの間で移行させる。したがって、本発明によれば、省エネモードの実行によって消費エネルギの抑制を図りながらも、生体情報が適切なものとなるように空調装置の運転を２つのモード間で移行させることが可能となる。
【００１０】
また、本発明では、前記電子機器は、居住者が携帯する携帯端末（４０）であることも好ましい。
【００１１】
本発明によれば、居住者が移動する場合でもその生体情報を確実に取得し、制御装置の制御を当該生体情報に基づいたものにすることが可能となる。
【００１２】
また、本発明では、前記制御装置は、前記生体情報が予め定められた所定状態から脱したことに基づいて、前記空調装置の運転を前記省エネモードから前記通常モードに移行させることを特徴とすることも好ましい。
【００１３】
本発明によれば、省エネモードの実行によって消費エネルギを抑制した結果、居室の温度が居住者Ｕの身体に過度の負担をかけるものとなるおそれがある場合は、通常モードの実行によって居室の温度を迅速に調整し、当該負担を回避することが可能となる。
【発明の効果】
【００１４】
本発明によれば、制御対象日の気温に関する予測情報に基づいて空調装置の運転を制御し、消費エネルギの抑制を図りながらも、居室を居住者の健康管理に適した温度環境とすることが可能な空調システムを提供することができる。
【図面の簡単な説明】
【００１５】
【図１】本発明の実施形態に係る空調システムの構成を示す模式図である。
【図２】図１の制御装置による制御の例を示すタイムチャートである。
【図３】図１の制御装置による処理の流れを示すフローチャートである。
【発明を実施するための形態】
【００１６】
以下、添付図面を参照しながら本発明の実施形態について説明する。説明の理解を容易にするため、各図面において同一の構成要素に対しては可能な限り同一の符号を付して、重複する説明は省略する。
【００１７】
本発明の実施形態に係る空調システム１００は、全館空調システムとも称され、複数の居室の温度調整を一括して自動的に行う装置である。図１は、３つの居室Ｒ１，Ｒ２，Ｒ３を有する住居ＨＳに、空調システム１００が適用された例を模式的に示している。
【００１８】
住居ＨＳは、居住者（空調システム１００の使用者）の生活空間である居室Ｒ１，Ｒ２，Ｒ３と、天井裏の空間である部屋Ｒ０と、を有している。後述するように、空調システム１００は、その構成の大部分が部屋Ｒ０に配置されている。空調システム１００は、３つの居室Ｒ１，Ｒ２，Ｒ３の温度調整を一括して自動的に行うように構成されている。空調システム１００は、空調装置１０と、室外ユニット２０と、制御装置３０と、携帯端末４０と、を備えている。
【００１９】
空調装置１０は、加熱されて高温になった空気を居室Ｒ１等に吹き出す暖房運転と、冷却されて低温になった空気を居室Ｒ１等に吹き出す冷房運転と、を行うことが可能なユニットである。また、空調装置１０は、空気の加熱や冷却を行うことなく、そのまま居室Ｒ１等に吹き出す送風運転を行うこともできる。空調装置１０は、少なくともファン１０Ａと、熱交換器１０Ｂと、を備えている。
【００２０】
ファン１０Ａは、電力の供給を受けることで駆動し、空気の吸引及び吹き出しを行う流体機器である。また、熱交換器１０Ｂは、冷媒を流す複数の冷媒流路がその内部に形成されているほか、当該冷媒流路間に空気を通過させることができるように構成されている。熱交換器１０Ｂを通過する空気は、冷媒流路を流れる冷媒と熱交換を行うことができる。ファン１０Ａによって吹き出された空気は、この熱交換器１０Ｂにおける冷媒との熱交換によって加熱又は冷却されることで、その温度が上昇又は低下する。
【００２１】
空調装置１０には、空調ダクト１１，１２，１３の一端が接続されている。空調ダクト１１，１２，１３は、その内部に流路が形成された管状部材であり、他端はそれぞれ居室Ｒ１，Ｒ２，Ｒ３に接続されている。熱交換器１０Ｂにおける冷媒との熱交換によって温度を調整された空気は、この空調ダクト１１，１２，１３を介して居室Ｒ１等に吹き出されることで、居室Ｒ１等の暖房や冷房が行われる。
【００２２】
また、空調装置１０には、導入ダクト１５と、排出ダクト１６と、が接続されている。導入ダクト１５及び排出ダクト１６は、いずれも部屋Ｒ０に配置されている。
【００２３】
導入ダクト１５は、空気を流す流路が内部に形成されている。空調装置１０は、この導入ダクト１５を介して外部から空気（外気）を吸引するとともに、当該空気を加熱又は冷却して居室Ｒ１等に吹き出す。
【００２４】
排出ダクト１６は、空気を流す流路が内部に形成されている。住居ＨＳは、空調装置１０において暖房運転、冷房運転、送風運転のいずれかが行われ、居室Ｒ１等に空気が吹き出されると、居室Ｒ１等から押し出された空気が居室Ｒ１等の外部且つ住居ＨＳの内側の空間を通過し、空調装置１０に帰還するように構成されている。居室Ｒ１等から帰還した空気は、全て排出ダクト１６を介して住居ＨＳの外部に導かれる。つまり、本実施形態では、居室Ｒ１等の外側且つ住居ＨＳの内側の空間が、所謂リターンダクトとして機能するように構成されている。
【００２５】
室外ユニット２０は、圧縮機、熱交換器、送風ファン等（いずれも不図示）を備えたユニットであり、住居ＨＳの外部に配置されている。室外ユニット２０と空調装置１０の間には冷媒配管２１が配置されている。冷媒配管２１は、往路と復路からなる二つの流路（不図示）を形成する一対の配管である。冷媒配管２１を冷媒が流れることによって、室外ユニット２０と空調装置１０の間を冷媒が循環するように構成されている。室外ユニット２０は、空調装置１０から排出された冷媒を外気と熱交換させたのち、当該冷媒を空調装置１０に戻す。
【００２６】
空調装置１０の暖房運転時には、室外ユニット２０の熱交換器において外気の熱が集められ、これによって冷媒が加熱される。加熱された冷媒は、圧縮機によって圧縮され温度を上昇させながら空調装置１０の熱交換器１０Ｂに供給され、熱交換器１０Ｂを通過する空気と熱交換を行う。
【００２７】
空調装置１０の冷房運転時には、室外ユニット２０の熱交換器において冷媒から外気に熱が放出され、これによって冷媒が冷却される。冷却された冷媒は、膨張して温度を低下させながら空調装置１０の熱交換器１０Ｂに供給され、熱交換器１０Ｂを通過する空気と熱交換を行う。
【００２８】
制御装置３０は、ＣＰＵ、ＲＯＭ、ＲＡＭ、及び入出力インターフェースを備えたコンピュータシステムであり、空調システム１００全体の動作を制御する電子機器である。制御装置３０は、空調装置１０及び室外ユニット２０とそれぞれ通信を行い、これらの動作を制御する。また、制御装置３０は、携帯端末４０と無線による通信を行う。
【００２９】
具体的には、制御装置３０は、空調装置１０の運転（暖房運転、冷房運転、送風運転のいずれを行うか）を制御する。また、制御装置３０は、室外ユニット２０から空調装置１０に供給される冷媒の温度を、空調装置１０の運転に対応したものとするような制御も行う。
【００３０】
制御装置３０は、その一部又は全部が、アナログ回路で構成されるか、デジタルプロセッサとして構成される。いずれにしても、受信した信号に基づいて制御信号を出力する機能を果たすため、制御装置３０には機能的な制御ブロックが構成される。
【００３１】
図１は、制御装置３０を機能的な制御ブロック図として示している。尚、制御装置３０を構成するアナログ回路又はデジタルプロセッサに組み込まれるソフトウェアのモジュールは、必ずしも図１に示す制御ブロックに分割されている必要はなく、複数の制御ブロックの働きをするものとして構成されていても構わず、更に細分化されていても構わない。後述する処理を実行できるように構成されていれば、制御装置３０の内部の実際の構成は当業者が適宜変更できるものである。
【００３２】
制御装置３０は、機能的な制御ブロックとして、受信部３１と、予測情報取得部３２と、通常モード実行部３３と、省エネモード実行部３４と、時刻計測部３５と、を有している。
【００３３】
受信部３１は、携帯端末４０から送信されるデータ信号を受信する部分である。後述するように、携帯端末４０は居住者Ｕの生体情報を取得し、取得した情報をデータ信号に変換して送信するが、制御装置３０は、受信部３１において当該データ信号を受信する。
【００３４】
予測情報取得部３２は、気温に関する予測情報を取得する部分である。具体的には、気温に関する予測情報が気象サーバ５０に格納されており、予測情報取得部３２は、制御装置３０が空調装置１０の制御を行う日（以下、「制御対象日」とも称する）の予測情報をこの気象サーバ５０にアクセスして取得する。
【００３５】
ここで、気象サーバ５０は、例えば気象庁や民間の気象予測業者等によって運営され、インターネットを介して気温に関する予測情報を提供するサーバである。また、気温に関する予測情報とは、将来において予想される気温の変化に関する情報である。本実施形態においては、特定の日における最高気温、最低気温、及び、平均気温（つまり、３つの数値からなる）の予測が、予測情報として気象サーバ５０から提供される。
【００３６】
尚、提供される予測情報の形式としてはこのようなものに限られず、他の形式であってもよい。例えば、特定の日の午前０時からの２４時間を３０分毎の小期間に分けた上で、それぞれの小期間における気温を示す一群の数値からなるデータが、予測情報として提供されてもよい。
【００３７】
通常モード実行部３３は、空調装置１０を「通常モード」で運転（暖房運転、冷房運転、送風運転）させる部分である。この通常モードは、空調装置１０の運転によって消費するエネルギの抑制よりも、居室Ｒ１等の温度を迅速且つ正確に目標値に一致させることを優先させる制御モードである。
【００３８】
省エネモード実行部３４は、空調装置１０を「省エネモード」で運転（暖房運転、冷房運転、送風運転）させる部分である。この省エネモードは、通常モードと比べて、居室Ｒ１等の温度を目標値に一致させる速度や精度は劣るものの、空調装置１０の運転によって消費するエネルギを抑制させることが可能な制御モードである。
【００３９】
時刻計測部３５は、所謂時計として機能する部分である。時刻計測部３５は、現在の日時を常に計測している。
【００４０】
携帯端末４０は、居住者Ｕが住居ＨＳ内で携帯する電子機器である。図１は、携帯端末４０を機能的な制御ブロック図として示している。図１では、一人の居住者Ｕ及び一台の携帯端末４０が図示されているが、住居ＨＳ内の居住者Ｕが複数である場合、携帯端末４０の台数も居住者Ｕの人数に応じて増やすことが可能である。携帯端末４０は、センサ４１と、送信部４２と、を有している。
【００４１】
センサ４１は、居住者Ｕの健康に係る生体情報を検出（取得）する部分である。具体的には、センサ４１は、居住者Ｕの手首等に装着される電極を有しており、当該電極で居住者Ｕの心拍数を検出する。
【００４２】
送信部４２は、センサ４１によって検出された居住者Ｕの生体情報をデータ信号に変換するともに、当該データ信号を外部に無線送信する部分である。前述したように、当該データ信号は制御装置３０の受信部３１によって受信される。携帯端末４０を携帯する居住者Ｕが住居ＨＳ内に複数存在する場合は、送信部４２が各居住者Ｕに割り当てられた識別信号とともにデータ信号を送信することで、受信部３１は、受信したデータ信号がいずれの居住者Ｕの生体情報に係るものであるかを識別することが可能となる。
【００４３】
続いて、図２を参照しながら、本実施形態に係る制御装置３０による制御の例について説明する。尚、以下では簡便のため、詳細には制御装置３０の受信部３１等の各部分によって行われる処理も、総括して制御装置３０が行うとして説明する。
【００４４】
図２には、中間期（春又は秋）に、制御装置３０によって制御されるファン１０Ａ及び熱交換器１０Ｂの状態が模式的に示されている。具体的には、ファン１０Ａが吹き出す空気の風量と、熱交換器１０Ｂの温度と、の変化が示されている。更に、図２には、空調装置１０の運転に伴って変化する居室Ｒ１等の室内温度の変化と、居住者Ｕの心拍数が示されている。
【００４５】
まず、制御対象日の季節が春（例えば、３月から５月まで）である場合について説明する。時刻ｔ１まで、制御装置３０は、空調装置１０を通常モードで冷房運転させる。すなわち、季節は春であるものの、制御対象日の気温は夏季と同等に高くなると予想されていることから、制御装置３０は空調装置１０を通常モードで冷房運転させ、室内温度が気温よりも低くなるように制御している。
【００４６】
具体的には、制御装置３０は、ファン１０Ａの風量をＱ２に設定するとともに、熱交換器１０Ｂの温度をＴｅ１に設定する。この温度Ｔｅ１は、予測されている制御対象日の気温よりも低い値に設定されている。
【００４７】
この結果、熱交換器１０Ｂにおける冷媒との熱交換によって大きく温度低下した空気が、比較的大きな風量で居室Ｒ１等に吹き出されることとなる。これにより、居室Ｒ１等の室内温度が目標値である温度Ｔｒ１程度に維持される。この温度Ｔｒ１は、居住者Ｕの心拍数が、健康管理の観点から適切と考えられるＮ１からＮ３の範囲に収まるような値に設定されている。
【００４８】
時刻ｔ１で、制御装置３０は、空調装置１０の冷房運転を通常モードから省エネモードに移行させる。居室Ｒ１等の室内温度を温度Ｔｒ１に維持できていることから、時刻ｔ１後は消費エネルギの抑制を優先させるために、制御装置３０はファン１０Ａ及び熱交換器１０Ｂの駆動を緩和させる。
【００４９】
具体的には、制御装置３０は、時刻ｔ１で、ファン１０Ａの風量をＱ２よりも小さいＱ１に変更するとともに、熱交換器１０Ｂの温度をＴｅ１よりも高いＴｅ２とする。この温度Ｔｅ２は、制御対象日の気温の予測値よりも低い値に設定されている。これにより、通常モードと比べて、ファン１０Ａが消費する電力と、熱交換器１０Ｂに低温の冷媒を供給する室外ユニット２０が消費する電力と、が抑制される。時刻ｔ１後は、時刻ｔ１前と比べて居室Ｒ１等に吹き出される空気の温度が上昇するとともに、風量が低下することで、居室Ｒ１等の室内温度は上昇する。
【００５０】
居室Ｒ１等の室内温度が上昇し、前述した温度Ｔｒ１から乖離することで、居住者Ｕの身体の負担が増加することとなる。このため、携帯端末４０のセンサ４１によって検出された居住者Ｕの心拍数は、居室Ｒ１等の室内温度の上昇とともに増加する。
【００５１】
時刻ｔ２で、居住者Ｕの心拍数がＮ３を上回ると、制御装置３０は、空調装置１０の冷房運転を省エネモードから通常モードに移行させる。これにより、居室Ｒ１等に吹き出される空気の温度が低下するとともに、風量が増加することで、居室Ｒ１等の室内温度は低下する。
【００５２】
居室Ｒ１等の室内温度が低下し、前述した温度Ｔｒ１に近づくことで、居住者Ｕの身体への負担が軽減されることとなる。このため、携帯端末４０のセンサ４１によって検出された居住者Ｕの心拍数は、居室Ｒ１等の室内温度の低下とともに減少する。
【００５３】
時刻ｔ３で、居住者Ｕの心拍数がＮ３以下となると、制御装置３０は、空調装置１０の運転を通常モードから省エネモードに移行させる。すなわち、居室Ｒ１等の室内温度が、再び居住者Ｕの健康管理に適した状態に復帰したと判断できることから、消費エネルギの抑制を優先させた空調装置１０の運転を行わせる。
【００５４】
続いて、制御対象日の季節が秋（例えば、９月から１１月まで）である場合について説明する。時刻ｔ４まで、制御装置３０は、空調装置１０を通常モードで暖房運転させる。すなわち、季節は秋であるものの、制御日の気温が冬季と同等に低くなると予想されていることから、制御装置３０は空調装置１０を通常モードで暖房運転させることで室内温度を上昇させるように制御している。
【００５５】
具体的には、制御装置３０は、ファン１０Ａの風量をＱ２に設定するとともに、熱交換器１０Ｂの温度をＴｅ４に設定する。この温度Ｔｅ４は、予測されている制御対象日の気温よりも高い値に設定されている。この結果、熱交換器１０Ｂにおける冷媒との熱交換によって大きく温度上昇した空気が、比較的大きな風量で居室Ｒ１等に吹き出されることとなる。これにより、居室Ｒ１等の室内温度が目標値である温度Ｔｒ１程度に維持される。
【００５６】
時刻ｔ４で、制御装置３０は、空調装置１０の暖房運転を通常モードから省エネモードに移行させる。居室Ｒ１等の室内温度を温度Ｔｒ１に維持できていることから、時刻ｔ４後は消費エネルギの抑制を優先させるために、制御装置３０はファン１０Ａ及び熱交換器１０Ｂの駆動を緩和させる。
【００５７】
具体的には、制御装置３０は、時刻ｔ４で、ファン１０Ａの風量をＱ２よりも小さいＱ１に変更するとともに、熱交換器１０Ｂの温度をＴｅ４よりも低いＴｅ３とする。この温度Ｔｅ３は、制御対象日の気温の予測値よりも高い値に設定されている。これにより、通常モードと比べて、ファン１０Ａが消費する電力と、熱交換器１０Ｂに高温の冷媒を供給する室外ユニット２０が消費する電力と、が抑制される。時刻ｔ４後は、時刻ｔ４前と比べて居室Ｒ１等に吹き出される空気の温度が低下するとともに、風量が低下することで、居室Ｒ１等の室内温度は低下する。
【００５８】
居室Ｒ１等の室内温度が上昇し、前述した温度Ｔｒ１から乖離することで、居住者Ｕの身体の負担が増加することとなる。このため、携帯端末４０のセンサ４１によって検出された居住者Ｕの心拍数は、居室Ｒ１等の室内温度の上昇とともに減少する。
【００５９】
時刻ｔ５で、居住者Ｕの心拍数がＮ１を下回ると、制御装置３０は、空調装置１０の暖房運転を省エネモードから通常モードに移行させる。これにより、居室Ｒ１等に吹き出される空気の温度が上昇するとともに、風量が増加することで、居室Ｒ１等の室内温度は上昇する。
【００６０】
居室Ｒ１等の室内温度が上昇し、前述した温度Ｔｒ１に近づくことで、居住者Ｕの身体への負担が軽減されることとなる。このため、携帯端末４０のセンサ４１によって検出された居住者Ｕの心拍数は、居室Ｒ１等の室内温度の上昇とともに増加する。
【００６１】
時刻ｔ６で、居住者Ｕの心拍数がＮ１以上となると、制御装置３０は、空調装置１０の運転を通常モードから省エネモードに移行させる。すなわち、居室Ｒ１等の室内温度が、再び居住者Ｕの健康管理に適した状態に復帰したと判断できることから、消費エネルギの抑制を優先させた空調装置１０の運転を行わせる。
【００６２】
続いて、図３を参照しながら、制御装置３０において実行される処理の流れについて説明する。
【００６３】
まず、制御装置３０は、ステップＳ１で、通常モードによる冷房運転又は暖房運転を空調装置１０に行わせる。すなわち、制御装置３０は、前述したように、風量が比較的大きくなるようにファン１０Ａを駆動させるとともに、熱交換を行った空気の温度上昇又は温度低下が比較的大きくなるように熱交換器１０Ｂの温度を設定する。
【００６４】
次に、制御装置３０は、ステップＳ２で、制御対象日の季節が中間期（春又は秋）か否かを判定する。制御対象日の季節が中間期ではないと判定した場合（Ｓ１：ＮＯ）、制御装置３０は、通常モードによる冷房運転又は暖房運転を継続する。一方、制御対象日の季節が中間期であると判定した場合（Ｓ１：ＹＥＳ）、制御装置３０は、次にステップＳ３の処理に進む。
【００６５】
次に、制御装置３０は、ステップＳ３で、予測されている制御対象日の気温が快適範囲内であるか否かを判定する。予測されている制御対象日の気温が快適範囲内ではないと判定した場合（Ｓ３：ＮＯ）、制御装置３０は、通常モードによる冷房運転又は暖房運転を継続する。一方、予測されている制御対象日の気温が快適範囲内であると判定した場合（Ｓ３：ＹＥＳ）、制御装置３０は、次にステップＳ４の処理に進む。
【００６６】
次に、制御装置３０は、ステップＳ４で、空調装置１０の冷房運転又は暖房運転を通常モードから省エネモードに移行させる。すなわち、前述したように、ファン１０Ａを、その風量が比較的小さくなるように駆動させるとともに、熱交換を行った空気の温度上昇又は温度低下が比較的小さくなるように熱交換器１０Ｂの温度を設定する。
【００６７】
次に、制御装置３０は、ステップＳ５で、居住者Ｕの心拍数が正常範囲内であるか否かを判定する。すなわち、制御装置３０は、携帯端末４０のセンサ４１の検出値が、前述したＮ１からＮ３の範囲に収まっているか否かを判定する。居住者Ｕの心拍数が正常範囲内であると判定した場合（Ｓ５：ＹＥＳ）、制御装置３０は、省エネモードによる冷房運転又は暖房運転を継続する。一方、居住者Ｕの心拍数が正常範囲内から脱していると判定した場合（Ｓ５：ＮＯ）、制御装置３０は、次にステップＳ６の処理に進む。
【００６８】
次に、制御装置３０は、ステップＳ６で、空調装置１０の冷房運転又は暖房運転を省エネモードから通常モードに移行させる。すなわち、前述したように、ファン１０Ａを、その風量が比較的大きくなるように駆動させるとともに、熱交換を行った空気の温度上昇又は温度低下が比較的大きくなるように熱交換器１０Ｂの温度を設定する。
【００６９】
次に、制御装置３０は、ステップＳ７で、居住者Ｕの心拍数が正常範囲に復帰したか否かを判定する。すなわち、制御装置３０は、携帯端末４０のセンサ４１の検出値が、再びＮ１からＮ３の範囲に収まるものになったか否かを判定する。居住者Ｕの心拍数が正常範囲に復帰してないと判定した場合（Ｓ７：ＮＯ）、制御装置３０は、通常モードによる冷房運転又は暖房運転を継続する。一方、居住者Ｕの居住者Ｕの心拍数が正常範囲に復帰したと判定した場合（Ｓ７：ＹＥＳ）、制御装置３０は、次にステップＳ８の処理に進む。
【００７０】
次に、制御装置３０は、ステップＳ８で、空調装置１０の冷房運転又は暖房運転を通常モードから省エネモードに移行させる。すなわち、前述したように、ファン１０Ａを、その風量が比較的小さくなるように駆動させるとともに、熱交換を行った空気の温度上昇又は温度低下が比較的小さくなるように熱交換器１０Ｂの温度を設定する。
【００７１】
以上説明したように、本実施形態では、電子機器である携帯端末４０が有するセンサ４１によって、居住者Ｕの生体情報である心拍数を検出（取得）する。そして、制御装置３０は、この心拍数に基づいて、空調装置１０の冷房運転又は暖房運転を通常モードと省エネモードとの間で移行させる。したがって、本実施形態によれば、省エネモードの実行によって消費エネルギの抑制を図りながらも、心拍数が適切なものとなるように空調装置１０の運転を２つのモード間で移行させることが可能となる。
【００７２】
また、本実施形態では、生体情報である心拍数を取得する電子機器は、居住者が携帯する携帯端末４０である。本実施形態によれば、居住者Ｕが移動する場合でもその心拍数を確実に取得し、制御装置３０の制御を当該心拍数に基づいたものにすることが可能となる。
【００７３】
また、本実施形態では、生体情報である心拍数が予め定められたＮ１からＮ３の範囲からから脱したことに基づいて、空調装置１０の冷房運転又は暖房運転を省エネモードから通常モードに移行させる。したがって、本実施形態によれば、省エネモードの実行によって消費エネルギを抑制した結果、居室Ｒ１等の温度が居住者Ｕの身体に過度の負担をかけるものとなるおそれがある場合は、通常モードの実行によって居室Ｒ１等の温度を迅速に調整し、当該負担を回避することが可能となる。
【００７４】
また、本実施形態では、空調装置１０の冷房運転又は暖房運転を省エネモードから通常モードに移行させた後に、生体情報である心拍数がＮ１からＮ３の範囲に復帰したことに基づいて、空調装置１０の冷房運転又は暖房運転を通常モードから省エネモードに移行させる。したがって、本実施形態によれば、通常モードを実行することで居住者Ｕの身体に過度の負担をかけないように居室Ｒ１等の温度を迅速に調整しながらも、当該負担が小さい温度環境に復帰した場合には、省エネモードを再度実行すること消費エネルギを確実に抑制することが可能となる。
【００７５】
また、本実施形態では、センサ４１は、生体情報として居住者Ｕの心拍数を検出する。心拍数は、居住者Ｕが置かれた温度環境に応じて変化する生体情報の一つであり、その変化は比較的短時間で検出することができる。したがって、本実施形態によれば、居住者Ｕの心拍数に基づいて空調装置１０の冷房運転又は暖房運転を通常モードと省エネモードとの間で移行させることで、居室Ｒ１等の温度環境を居住者Ｕの健康管理に更に適したものとすることが可能となる。
【００７６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【００７７】
例えば、前述した実施形態では、省エネモードとして、通常モードと比べてファン１０Ａの風量や熱交換器１０Ｂの温度を変更する態様を示しているが、本発明はこれに限定されるものではない。すなわち、省エネモードにおいて、ファン１０Ａ及び熱交換器１０Ｂの少なくとも一方を間欠的に駆動させることで、消費するエネルギを通常モードと比べて抑制するように制御した場合にも、前述した実施形態と同様の効果を得ることが可能となる。
【００７８】
また、前述した実施形態では、携帯端末４０のセンサ４１によって居住者Ｕの生体情報である心拍数を取得しているが、本発明はこれに限定されるものではない。すなわち、居住者Ｕに自身の生体情報をボタン等によって入力させたり、居室Ｒ１等の状況から生体情報を推測したりすることによって、生体情報を取得してもよい。
【符号の説明】
【００７９】
１０：空調装置
３０：制御装置
３１：受信部
３２：予測情報取得部
３３：通常モード実行部
３４：省エネモード実行部
３５：時刻計測部
４０：携帯端末（電子機器）
４１：センサ（取得部）
４２：送信部
１００：空調システム
Ｒ１，Ｒ２，Ｒ３：居室
Ｕ：居住者
【図１】
2016211810.tif 000003
【図２】
2016211810.tif 000004
【図３】
2016211810.tif 000005